(57)【要約】【課題】金融取引での利便性の低下を抑制しつつ、キャッシュカードの盗難・偽造に基づいた預金口座からの預金の不正な引出しを抑制することができる金融取引管理方法及び金融取引管理プログラムを提供する。【解決手段】サーバの制御装置は、端末側から送信された第２の暗証番号に係る第２の暗証番号情報を受信した場合、預金口座管理ファイルに設定記憶されている現状の引出し限度額を、低額の第１の引出し限度額よりも高額の第２の引出し限度額に設定変更する。そして、サーバの制御装置は、その後に端末側から第１の暗証番号に係る第１の暗証番号情報及び希望引出し金額情報を受信した場合、払出し許可情報を当該端末に送信する。すると、端末からは、希望引出し金額情報に基づいた金額が払い出される。【選択図】図３
2008015597.tif 000002
【特許請求の範囲】
【請求項１】
暗証番号情報の入力に基づき預金口座からの預金引出しを含む金融取引を実行可能な端末と、当該端末と情報通信可能に接続されたサーバと、前記暗証番号情報を含んでなる前記預金口座に関連した取引関連情報を記憶した記憶手段とを備えるコンピュータシステムを用い、一つの預金口座に対して複数の暗証番号を設定することにより、当該暗証番号に係る暗証番号情報の入力を伴った前記端末での金融取引の内容を前記サーバにて管理する金融取引管理方法において、
前記記憶手段に設定記憶されている前記各暗証番号に係る暗証番号情報のうち前記端末での預金引出しの際に使用される第１の暗証番号とは異なる第２の暗証番号に係る第２の暗証番号情報を当該暗証番号情報が対応付けられた預金口座を特定する口座特定情報と共に前記端末側から前記サーバが受信した場合に、当該サーバが、前記口座特定情報にて特定された一つの預金口座からの現状の引出し限度額を当該一つの預金口座について予め設定された第１の引出し限度額よりも高額の第２の引出し限度額に設定変更する引出し限度額変更ステップと、
当該引出し限度額変更ステップの処理後に、前記記憶手段に設定記憶されている前記各暗証番号に係る暗証番号情報のうち前記第１の暗証番号に係る第１の暗証番号情報を当該暗証番号情報が対応付けられた預金口座からの預金引出しを打診する引出し打診情報と共に前記端末側から前記サーバが受信した場合に、当該サーバが、前記引出し打診情報を送信した端末に向けて顧客の希望引出し金額の入力を促す金額入力打診情報を送信する金額入力打診ステップと、
当該金額入力打診ステップの処理後に、前記希望引出し金額に対応した希望引出し金額情報を前記端末側から前記サーバが受信した場合において、前記希望引出し金額情報に対応した希望引出し金額が前記現状の引出し限度額以下であるときに、前記サーバが、前記希望引出し金額情報を送信した端末に向けて前記希望引出し金額の払出しを許可する払出し許可情報を送信する払出し許可ステップと
を備えた金融取引管理方法。
【請求項２】
前記引出し限度額変更ステップが実行されてからの経過時間が予め設定された所定時間以上になった場合に、前記サーバが、前記現状の引出し限度額を前記第１の引出し限度額に引き下げる経過後引出し限度額引下げステップをさらに備えた請求項１に記載の金融取引管理方法。
【請求項３】
前記引出し限度額変更ステップが実行された後に、前記金額入力打診ステップ及び払出し許可ステップが引き続いて実行された場合、前記サーバが、前記現状の引出し限度額を前記第１の引出し限度額に引き下げる払出し後引出し限度額引下げステップをさらに備えた請求項１又は請求項２に記載の金融取引管理方法。
【請求項４】
前記端末には、預金口座からの預金の引出し処理を実行する際に操作される引出し用操作部と、前記現状の引出し限度額を設定変更する際に操作される引出し限度額変更用操作部とが設けられており、
当該引出し限度額変更用操作部が操作された後に、顧客が前記第２の暗証番号を入力した場合において、当該第２の暗証番号に係る第２の暗証番号情報が前記端末側から前記サーバに送信されたときに、当該サーバは、前記引出し限度額変更ステップを実行する請求項１〜請求項３のうち何れか一項に記載の金融取引管理方法。
【請求項５】
前記引出し限度額変更用操作部は、預金口座に預金されている金額の残高を照会する際に操作される残高照会用操作部が兼用される請求項４に記載の金融取引管理方法。
【請求項６】
暗証番号情報の入力に基づき預金口座からの預金引出しを含む金融取引を実行可能な端末と、当該端末と情報通信可能に接続されたサーバと、前記暗証番号情報を含んでなる前記預金口座に関連した取引関連情報を記憶した記憶手段とを備えるコンピュータシステムにあって、一つの預金口座に対して複数の暗証番号を設定することにより、当該暗証番号に係る暗証番号情報の入力を伴った前記端末での金融取引の内容を前記サーバが管理するために実行する金融取引管理プログラムにおいて、
前記サーバを、
前記記憶手段に設定記憶されている前記各暗証番号に係る暗証番号情報のうち前記端末での預金引出しの際に使用される第１の暗証番号とは異なる第２の暗証番号に係る第２の暗証番号情報を当該暗証番号情報が対応付けられた預金口座を特定する口座特定情報と共に前記端末側から受信した場合に、前記口座特定情報にて特定された一つの預金口座からの現状の引出し限度額を当該一つの預金口座について予め設定された第１の引出し限度額よりも高額の第２の引出し限度額に設定変更する引出し限度額変更手段と、
当該引出し限度額変更手段として機能した後に、前記記憶手段に設定記憶されている前記各暗証番号に係る暗証番号情報のうち前記第１の暗証番号に係る第１の暗証番号情報を当該暗証番号情報が対応付けられた預金口座からの預金引出しを打診する引出し打診情報と共に前記端末側から受信した場合に、前記引出し打診情報を送信した端末に向けて顧客の希望引出し金額の入力を促す金額入力打診情報を送信する金額入力打診手段と、
当該金額入力打診手段として機能した後に、前記希望引出し金額に対応した希望引出し金額情報を前記端末側から受信した場合において、前記希望引出し金額情報に対応した希望引出し金額が前記現状の引出し限度額以下であるときに、前記希望引出し金額情報を送信した端末に向けて前記希望引出し金額の払出しを許可する払出し許可情報を送信する払出し許可手段と
して機能させる金融取引管理プログラム。
【請求項７】
前記サーバを、当該サーバが前記引出し限度額変更手段として機能してからの経過時間が予め設定された所定時間以上になった場合には、前記現状の引出し限度額を前記第１の引出し限度額に引き下げる経過後引出し限度額引下げ手段としても機能させる請求項６に記載の金融取引管理プログラム。
【請求項８】
前記サーバを、当該サーバが前記引出し限度額変更手段として機能した後に引き続いて前記金額入力打診手段及び払出し許可手段として機能した場合には、前記現状の引出し限度額を前記第１の引出し限度額に引き下げる払出し後引出し限度額引下げ手段としても機能させる請求項６又は請求項７に記載の金融取引管理プログラム。
【請求項９】
前記端末には、預金口座からの預金の引出し処理を実行する際に操作される引出し用操作部と、前記現状の引出し限度額を設定変更する際に操作される引出し限度額変更用操作部とが設けられており、
当該引出し限度額変更用操作部が操作された後に、顧客が前記第２の暗証番号を入力した場合において、当該第２の暗証番号に係る第２の暗証番号情報が前記端末側から前記サーバに送信されたときに、当該サーバは、前記引出し限度額変更手段として機能する請求項６〜請求項８のうち何れか一項に記載の金融取引管理プログラム。
【請求項１０】
前記引出し限度額変更用操作部は、預金口座に預金されている金額の残高を照会する際に操作される残高照会用操作部が兼用される請求項９に記載の金融取引管理プログラム。
【発明の詳細な説明】
【技術分野】
【０００１】
本発明は、例えば銀行等の金融機関におけるコンピュータシステムを使用した金融取引管理方法及び金融取引管理プログラムに関する。
【背景技術】
【０００２】
近年、顧客が預金引出し等の際に使用するキャッシュカードの暗証番号（「パスワード」ともいう。）がスキミングなどによって不正に読み出される被害の増加につれて、盗難・偽造されたキャッシュカードなどを使用した不正な預金引出しが増加している。そこで、こうした預金口座からの不正な預金引出しによる被害を抑制するために、例えば特許文献１に記載の暗証番号管理システムを利用した金融取引管理方法（以下、「従来管理方法」という。）が提案されている。
【０００３】
この従来管理方法では、一つの預金口座に対して複数（例えば２つ）の暗証番号が設定され、預金口座からの引出し金額の多寡に応じて２つの暗証番号が使い分けされるようになっている。すなわち、２つの暗証番号のうち、第１の暗証番号は、該第１の暗証番号が入力された場合には予め設定された所定金額（例えば５０万円）以下の少額の引出ししかできない一方、第２の暗証番号は、該第２の暗所番号が入力された場合には上記所定金額よりも高額の引出しが可能となるように設定されている。そして、通常の預金引出し時には、第１の暗証番号を使用した少額の引出しが一般的であることから、その第１の暗証番号がスキミングなどにより不正に読み出されてしまったとしても、預金口座からの不正な預金引出しによる被害金額が所定金額以下に低く抑えられるようにしていた。
【特許文献１】特開２００６−９９７１２号公報（請求項１、段落番号［００４７］〜［００５１］）
【発明の開示】
【発明が解決しようとする課題】
【０００４】
ところで、上記の従来管理方法では、低額の引出し時には第１の暗証番号を使用する一方、高額の引出し時には第２の暗証番号を使用するようになっていた。そのため、高額引出し用の第２の暗証番号を使用しての預金引出し時に当該第２の暗証番号がスキミング等により不正に読み出されてしまった場合には、該第２の暗証番号が不正に使用されることにより、不正な預金引出しによる被害金額が大きくなってしまうおそれがあった。
【０００５】
また、近年では、キャッシュカードの盗難・偽造に基づいた預金口座からの預金の不正な引出しを抑制するために、預金の引出し時に従来からの暗証番号だけではなく、生体認証（声紋や指紋等の認証）を行ったり、携帯電話によって預金口座の使用をロック状態にしたりするシステムが提案されている。ところが、これらのシステムでは、セキュリティ向上を図ることはできるものの、生体認証を使用する場合には新たなる設備投資が必要になり、非常にコストが高くなってしまう。また、携帯電話を使用する場合には顧客に上記システムに対応したタイプの携帯電話を持って頂く必要があり、そのような携帯電話を持っていない顧客には、上記システムに対応した携帯電話の購入を強いてしまうのが現状であった。したがって、生体認証や携帯電話の機能を利用したシステムは、その利便性が低いため、なかなか普及しないという問題があった。
【０００６】
本発明は、このような事情に鑑みてなされたものであり、その目的は、金融取引での利便性の低下を抑制しつつ、キャッシュカードの盗難・偽造に基づいた預金口座からの不正な預金引出しを抑制することができる金融取引管理方法及び金融取引管理プログラムを提供することにある。
【課題を解決するための手段】
【０００７】
上記目的を達成するために、金融取引管理方法に係る請求項１に記載の発明は、暗証番号情報の入力に基づき預金口座からの預金引出しを含む金融取引を実行可能な端末と、当該端末と情報通信可能に接続されたサーバと、前記暗証番号情報を含んでなる前記預金口座に関連した取引関連情報を記憶した記憶手段とを備えるコンピュータシステムを用い、一つの預金口座に対して複数の暗証番号を設定することにより、当該暗証番号に係る暗証番号情報の入力を伴った前記端末での金融取引の内容を前記サーバにて管理する金融取引管理方法において、前記記憶手段に設定記憶されている前記各暗証番号に係る暗証番号情報のうち前記端末での預金引出しの際に使用される第１の暗証番号とは異なる第２の暗証番号に係る第２の暗証番号情報を当該暗証番号情報が対応付けられた預金口座を特定する口座特定情報と共に前記端末側から前記サーバが受信した場合に、当該サーバが、前記口座特定情報にて特定された一つの預金口座からの現状の引出し限度額を当該一つの預金口座について予め設定された第１の引出し限度額よりも高額の第２の引出し限度額に設定変更する引出し限度額変更ステップと、当該引出し限度額変更ステップの処理後に、前記記憶手段に設定記憶されている前記各暗証番号に係る暗証番号情報のうち前記第１の暗証番号に係る第１の暗証番号情報を当該暗証番号情報が対応付けられた預金口座からの預金引出しを打診する引出し打診情報と共に前記端末側から前記サーバが受信した場合に、当該サーバが、前記引出し打診情報を送信した端末に向けて顧客の希望引出し金額の入力を促す金額入力打診情報を送信する金額入力打診ステップと、当該金額入力打診ステップの処理後に、前記希望引出し金額に対応した希望引出し金額情報を前記端末側から前記サーバが受信した場合において、前記希望引出し金額情報に対応した希望引出し金額が前記現状の引出し限度額以下であるときに、前記サーバが、前記希望引出し金額情報を送信した端末に向けて前記希望引出し金額の払出しを許可する払出し許可情報を送信する払出し許可ステップとを備えたことを要旨とする。
【０００８】
請求項２に記載の発明は、請求項１に記載の金融取引管理方法において、前記引出し限度額変更ステップが実行されてからの経過時間が予め設定された所定時間以上になった場合に、前記サーバが、前記現状の引出し限度額を前記第１の引出し限度額に引き下げる経過後引出し限度額引下げステップをさらに備えたことを要旨とする。
【０００９】
請求項３に記載の発明は、請求項１又は請求項２に記載の金融取引管理方法において、前記引出し限度額変更ステップが実行された後に、前記金額入力打診ステップ及び払出し許可ステップが引き続いて実行された場合、前記サーバが、前記現状の引出し限度額を前記第１の引出し限度額に引き下げる払出し後引出し限度額引下げステップをさらに備えたことを要旨とする。
【００１０】
請求項４に記載の発明は、請求項１〜請求項３のうち何れか一項に記載の金融取引管理方法において、前記端末には、預金口座からの預金の引出し処理を実行する際に操作される引出し用操作部と、前記現状の引出し限度額を設定変更する際に操作される引出し限度額変更用操作部とが設けられており、当該引出し限度額変更用操作部が操作された後に、顧客が前記第２の暗証番号を入力した場合において、当該第２の暗証番号に係る第２の暗証番号情報が前記端末側から前記サーバに送信されたときに、当該サーバは、前記引出し限度額変更ステップを実行することを要旨とする。
【００１１】
請求項５に記載の発明は、請求項４に記載の金融取引管理方法において、前記引出し限度額変更用操作部は、預金口座に預金されている金額の残高を照会する際に操作される残高照会用操作部が兼用されることを要旨とする。
【００１２】
一方、金融取引管理プログラムに係る請求項６に記載の発明は、暗証番号情報の入力に基づき預金口座からの預金引出しを含む金融取引を実行可能な端末と、当該端末と情報通信可能に接続されたサーバと、前記暗証番号情報を含んでなる前記預金口座に関連した取引関連情報を記憶した記憶手段とを備えるコンピュータシステムにあって、一つの預金口座に対して複数の暗証番号を設定することにより、当該暗証番号に係る暗証番号情報の入力を伴った前記端末での金融取引の内容を前記サーバが管理するために実行する金融取引管理プログラムにおいて、前記サーバを、前記記憶手段に設定記憶されている前記各暗証番号に係る暗証番号情報のうち前記端末での預金引出しの際に使用される第１の暗証番号とは異なる第２の暗証番号に係る第２の暗証番号情報を当該暗証番号情報が対応付けられた預金口座を特定する口座特定情報と共に前記端末側から受信した場合に、前記口座特定情報にて特定された一つの預金口座からの現状の引出し限度額を当該一つの預金口座について予め設定された第１の引出し限度額よりも高額の第２の引出し限度額に設定変更する引出し限度額変更手段と、当該引出し限度額変更手段として機能した後に、前記記憶手段に設定記憶されている前記各暗証番号に係る暗証番号情報のうち前記第１の暗証番号に係る第１の暗証番号情報を当該暗証番号情報が対応付けられた預金口座からの預金引出しを打診する引出し打診情報と共に前記端末側から受信した場合に、前記引出し打診情報を送信した端末に向けて顧客の希望引出し金額の入力を促す金額入力打診情報を送信する金額入力打診手段と、当該金額入力打診手段として機能した後に、前記希望引出し金額に対応した希望引出し金額情報を前記端末側から受信した場合において、前記希望引出し金額情報に対応した希望引出し金額が前記現状の引出し限度額以下であるときに、前記希望引出し金額情報を送信した端末に向けて前記希望引出し金額の払出しを許可する払出し許可情報を送信する払出し許可手段として機能させることを要旨とする。
【００１３】
請求項７に記載の発明は、請求項６に記載の金融取引管理プログラムにおいて、前記サーバを、当該サーバが前記引出し限度額変更手段として機能してからの経過時間が予め設定された所定時間以上になった場合には、前記現状の引出し限度額を前記第１の引出し限度額に引き下げる経過後引出し限度額引下げ手段としても機能させることを要旨とする。
【００１４】
請求項８に記載の発明は、請求項１又は請求項２に記載の金融取引管理プログラムにおいて、前記サーバを、当該サーバが前記引出し限度額変更手段として機能した後に引き続いて前記金額入力打診手段及び払出し許可手段として機能した場合には、前記現状の引出し限度額を前記第１の引出し限度額に引き下げる払出し後引出し限度額引下げ手段としても機能させることを要旨とする。
【００１５】
請求項９に記載の発明は、請求項１〜請求項３のうち何れか一項に記載の金融取引管理プログラムにおいて、前記端末には、預金口座からの預金の引出し処理を実行する際に操作される引出し用操作部と、前記現状の引出し限度額を設定変更する際に操作される引出し限度額変更用操作部とが設けられており、当該引出し限度額変更用操作部が操作された後に、顧客が前記第２の暗証番号を入力した場合において、当該第２の暗証番号に係る第２の暗証番号情報が前記端末側から前記サーバに送信されたときに、当該サーバは、前記引出し限度額変更手段として機能することを要旨とする。
【００１６】
請求項１０に記載の発明は、請求項９に記載の金融取引管理プログラムにおいて、前記引出し限度額変更用操作部は、預金口座に預金されている金額の残高を照会する際に操作される残高照会用操作部が兼用されることを要旨とする。
【発明の効果】
【００１７】
本発明によれば、金融取引での利便性の低下を抑制しつつ、キャッシュカードの盗難・偽造に基づいた預金口座からの不正な預金引出しを抑制することができる。
【発明を実施するための最良の形態】
【００１８】
以下、本発明を、金融機関の一種である銀行においてサーバと端末とが情報通信可能に接続されてなるコンピュータシステムを用いた金融取引管理方法及び金融取引管理プログラムに具体化した一実施形態を図１〜図９にしたがって説明する。
【００１９】
図１に示すように、本実施形態の金融取引管理システムとしてのコンピュータシステム１００は、銀行内に設置されたサーバ１０１と、銀行店舗内外に設置され、顧客が所定の金融取引を入力操作できる端末１０２とを備えている。そして、サーバ１０１と端末１０２との間は、通信回線１０３を介して情報通信可能に接続されている。なお、本実施形態では、端末１０２として現金自動預払機（ＡＴＭ）を用いた場合を例示して以下説明するものとする。
【００２０】
さて、サーバ１０１は、コンピュータシステム１００全体を制御する制御装置１０４を備えている。この制御装置１０４は、図示しないＣＰＵ、ＲＯＭ、及びＲＡＭなどを備えたデジタルコンピュータを主体に構成されている。ＲＯＭには、コンピュータシステム１００のオペレーションプログラム（金融取引管理プログラムを含む）などが記憶されている。また、ＲＡＭには、オペレーションプログラムの処理中などに適宜書き換えられる情報が一時記憶されるようになっている。
【００２１】
サーバ１０１の制御装置１０４には、端末１０２の稼動実績に関する各種の情報（以下、「端末関連情報」という。）を格納記憶した端末データファイル１０５が接続されている。この端末データファイル１０５には、各種の端末関連情報、即ち、操作日及び端末利用手数料必要取引件数などが各日毎に区分記憶されている。そして、これらの端末関連情報については、所定の更新時毎（例えば、端末１０２が利用される毎）に、データ内容が更新されるようになっている。
【００２２】
また、サーバ１０１の制御装置１０４には、該サーバ１０１が設置された銀行において現存する顧客との取引に関する各種の情報（以下、「取引関連情報」という。）を格納記憶した記憶手段としての預金口座管理ファイル１０６が接続されている。この預金口座管理ファイル１０６には、図２に示すように、各種の取引関連情報が顧客毎に区分記憶されている。すなわち、預金口座管理ファイル１０６には、預金口座の口座番号（図示略）と共に、顧客番号２０１、顧客名２０２、その預金口座から預金引出しする場合に適用される現状の引出し限度額２０３が、顧客毎に区分記憶されている。また、預金口座管理ファイル１０６には、その預金口座からの預金引出しを含む金融取引時に使用される第１の暗証番号２０４、該第１の暗証番号２０４を使用して顧客が普段の（すなわち、比較的低額の）預金引出しをする場合に適用される第１の引出し限度額２０５が、同様に、顧客毎に区分記憶されている。また、預金口座管理ファイル１０６には、前記第１の暗証番号とは異なる第２の暗証番号２０６、前記第１の引出し限度額２０５よりは高額の第２の引出し限度額２０７、預金金額２０８が、同様に、顧客毎に区分記憶されている。そして、これらの取引関連情報については、新たな取引の設定（又は解約）等があると、その都度、データ内容が更新されるようになっている。なお、各暗証番号２０４，２０６は、複数（本実施形態では４つ）の数字を組み合わせたものであって、互いに異なる数字の組み合わせとなるようにそれぞれ設定されている。
【００２３】
一方、端末１０２には、図１に示すように、タッチパネル形式の操作画面１０７と、当該端末１０２を制御する制御部１０８とが設けられている。この制御部１０８は、図示しないＣＰＵ、ＲＯＭ及びＲＡＭなどを備えたデジタルコンピュータを主体に構成されると共に、操作画面１０７の表示駆動部（図示略）と接続されている。制御部１０８のＲＯＭには、サーバ１０１から受信した各種情報に基づいて端末１０２を制御するためのオペレーションプログラムなどが予め記憶されている。また、制御部１０８のＲＡＭには、利用者（顧客）による端末１０２の操作中などに適宜書き換えられる情報が一時記憶されるようになっている。
【００２４】
そして、端末１０２の制御部１０８は、サーバ１０１側と通信回線１０３を介して送受信処理した各種情報を操作画面１０７上に出力表示させるようになっている。また、制御部１０８は、顧客が端末１０２を使用して現金入金などの各種取引操作を行う場合、当該顧客がキャッシュカード若しくは通帳の挿入口（図示略）に挿入されたキャッシュカード若しくは通帳や、操作画面１０７上から操作入力した暗証番号等から読み取った各種情報をサーバ１０１側に送信するようになっている。
【００２５】
そこで次に、端末１０２で預金口座の残高照会を行ったり、当該預金口座から預金を引き出したりする際に、サーバ１０１の制御装置１０４が実行する各種の制御処理ルーチン及び端末１０２の操作画面１０７の表示内容を図３〜図５に示すフローチャートと図６〜図９に示す画面表示とを参照しながら以下説明する。
【００２６】
さて、図６に示すように、顧客によって操作される端末１０２の操作画面１０７には、お預入れボタン２１、通帳記入ボタン２２、引出し用操作部としてのお引出しボタン２３、お振込ボタン２４及び残高照会用操作部としての残高照会ボタン２５等の複数種類の取引別操作ボタンがタッチ操作入力可能に設定表示されている。そして、かかる操作画面１０７を有する端末１０２は、通信回線１０３を介してサーバ１０１に接続されている。そのため、サーバ１０１の制御装置１０４は、端末１０２側において取引別操作ボタンのタッチ操作入力があったか否かを端末１０２から送信される各種情報の受信に基づき常時チェック判定している。従って、顧客が何れかの金融取引の実行を所望する場合は、操作画面１０７上にある取引内容に対応したボタンをタッチ操作すれば、以下順次に所望する金融取引の実行に必要な画面が操作画面１０７上に表示され、その表示内容に従って端末１０２を操作することで顧客は所望する金融取引を行うことができる。
【００２７】
すなわち、顧客が、端末１０２側で操作画面１０７上の残高照会ボタン２５をタッチ操作すると、一つの預金口座の残高照会を打診するための残高照会情報が端末１０２側からサーバ１０１側に送信される。すると、図３に示す残高照会処理ルーチンにおいて、サーバ１０１の制御装置１０４は、ステップＳ１０１での判定結果が肯定判定となるため、次のステップＳ１０２に処理を移行する。また、サーバ１０１の制御装置１０４は、残高照会情報を端末１０２側から受信する際に、該端末１０２の制御部１０８に内蔵の時計機能で判定される当該端末１０２の利用時刻に係る端末利用時刻情報をも受信し、そのＲＡＭに残高照会情報及び端末利用時刻情報を一時記憶させる。
【００２８】
そして、顧客が、端末１０２の読み取り用挿入部（図示略）に取引対象口座認識用の媒体（キャッシュカード又は通帳）を挿入し、図７に示す暗証番号入力用画面から暗証番号（第１の暗証番号又は第２の暗証番号）を入力すると、取引対象口座に関する口座情報及び暗証番号に関する暗証番号情報が端末１０２側からサーバ１０１側に送信される。以下、これらの口座情報及び暗証番号情報を含んでなる情報を「口座特定情報」ということもある。この口座特定情報がサーバ１０１側に送信されると、サーバ１０１の制御装置１０４は、ステップＳ１０２での判定結果が肯定判定となるため、口座特定情報を制御装置１０４のＲＡＭに一時記憶させる。また、サーバ１０１の制御装置１０４は、口座特定情報に対応した各種の取引関連情報（図２参照）を預金口座管理ファイル１０６から読み出してＲＡＭに一時記憶させ、次のステップＳ１０３に処理を移行する。
【００２９】
ステップＳ１０３において、サーバ１０１の制御装置１０４は、受信した口座特定情報にて示される暗証番号が第２の暗証番号２０６であるか否かを判定し、該判定結果が肯定判定である場合、ステップＳ１０４に処理を移行する。そして、ステップＳ１０４において、サーバ１０１の制御装置１０４は、ＲＡＭに一時記憶されている現状の引出し限度額２０３を第２の引出し限度額２０７に書き換える。また、サーバ１０１の制御装置１０４は、預金口座管理ファイル１０６内に記憶されている現状の引出し限度額２０３についても、これを第２の引出し限度額２０７に設定変更する。すなわち、一つの預金口座の現状の引出し限度額２０３が第１の引出し限度額２０５に設定されていた場合、現状の引出し限度額２０３は、サーバ１０１が第２の暗証番号２０６に係る第２の暗証番号情報を受信したことを契機に、第１の引出し限度額２０５よりも高額の第２の引出し限度額２０７に設定変更される。したがって、本実施形態では、ステップＳ１０４が引出し限度額変更ステップに相当し、その際にはサーバ１０１の制御装置１０４が引出し限度額変更手段として機能する。また、本実施形態では、図６に示す画面上に表示される残高照会ボタン２５が、引出し限度額変更用操作部としても機能する。その後、サーバ１０１の制御装置１０４は、後述するステップＳ１０７に処理を移行する。
【００３０】
一方、受信した口座特定情報にて示される暗証番号が第２の暗証番号２０６以外の暗証番号であった場合、サーバ１０１の制御装置１０４は、ステップＳ１０３の判定結果が否定判定となるため、ステップＳ１０５に処理を移行する。このステップＳ１０５において、サーバ１０１の制御装置１０４は、受信した口座特定情報にて示される暗証番号が第１の暗証番号２０４であるか否かを判定し、該判定結果が否定判定である場合、ステップＳ１０６に処理を移行する。そして、ステップＳ１０６において、サーバ１０１の制御装置１０４は、端末１０２側にて入力された暗証番号が第１の暗証番号２０４及び第２の暗証番号２０６とは異なる誤った暗証番号であったと判断し、暗証番号エラー情報を端末１０２側に送信する。その後、サーバ１０１の制御装置１０４は、残高照会処理ルーチンを終了する。すると、端末１０２の操作画面１０７上には、誤った暗証番号が入力された旨のメッセージが表示される。
【００３１】
その一方で、受信した口座特定情報にて示される暗証番号が第１の暗証番号２０４であった場合、サーバ１０１の制御装置１０４は、ステップＳ１０５の判定結果が肯定判定となるため、ステップＳ１０７に処理を移行する。
【００３２】
このステップＳ１０７において、サーバ１０１の制御装置１０４は、現状の引出し限度額２０３に係る引出し限度額情報と、預金金額（預金残高）２０８に係る残高情報とを端末１０２側に送信し、残高照会処理ルーチンを終了する。すると、端末１０２の操作画面１０７上には、図８に示す残高照会用画面が表示される。
【００３３】
すなわち、操作画面１０７上には、一つの預金口座の預金残高（ご照会時の残高）と、端末１０２を利用した預金引出しにおける一日支払限度額（その一つの預金口座からの１日当り引出し限度額）とが表示される。また、操作画面１０７の下方域には、引出し用操作部としてのお引出しボタン３０、お預入れボタン３１、お振込ボタン３２、お振替ボタン３３及び終了ボタン３４がタッチ操作入力可能に設定表示される。なお、一日支払限度額としては、預金口座管理ファイル１０６において現状の引出し限度額２０３が第１の引出し限度額２０５に設定されている場合には該第１の引出し限度額２０５が表示される一方、現状の引出し限度額２０３が第２の引出し限度額２０７に設定されている場合には該第２の引出し限度額２０７が表示される。
【００３４】
そして、顧客が、図８に示す残高照会用画面において、お引出しボタン３０をタッチ操作すると、一つの預金口座からの預金の引出しを打診するための引出し打診情報が端末１０２側からサーバ１０１側に送信される。すると、図４に示す預金引出し処理ルーチンにおいて、サーバ１０１の制御装置１０４は、ステップＳ２０１での判定結果が肯定判定となるため、次のステップＳ２０２に処理を移行する。
【００３５】
そして、顧客が、図７に示す暗証番号入力用画面から暗証番号を入力すると、取引対象口座及び暗証番号に関する口座特定情報が、端末１０２側からサーバ１０１側に送信される。口座特定情報がサーバ１０１側に送信されると、サーバ１０１の制御装置１０４は、ステップＳ２０２での判定結果が肯定判定となるため、受信した口座特定情報を制御装置１０４のＲＡＭに一時記憶させる。また、サーバ１０１の制御装置１０４は、口座特定情報に対応した各種の取引関連情報（図２参照）を預金口座管理ファイル１０６から読み出してＲＡＭに一時記憶させ、次のステップＳ２０３に処理を移行する。
【００３６】
次のステップＳ２０３において、サーバ１０１の制御装置１０４は、受信した口座特定情報にて示される暗証番号が第１の暗証番号２０４であるか否かを判定し、該判定結果が否定判定である場合、ステップＳ２０４に処理を移行する。このステップＳ２０４において、サーバ１０１の制御装置１０４は、端末１０２側にて入力された暗証番号が第１の暗証番号２０４とは異なる誤った暗証番号であったと判断し、暗証番号エラー情報を端末１０２側に送信した後、預金引出し処理ルーチンを終了する。このとき、端末１０２の操作画面１０７上には、誤った暗証番号が入力された旨のメッセージが表示される。
【００３７】
一方、受信した口座特定情報にて示される暗証番号が第１の暗証番号２０４であった場合、サーバ１０１の制御装置１０４は、ステップＳ２０３の判定結果が肯定判定となるため、ステップＳ２０５に処理を移行する。そして、ステップＳ２０５において、サーバ１０１の制御装置１０４は、口座特定情報を送信してきた端末１０２側へ金額入力打診情報を送信する。すなわち、サーバ１０１の制御装置１０４は、端末１０２側から第１の暗証番号２０４に係る第１の暗証番号情報を受信した場合、その端末１０２において顧客に希望引出し金額の入力を促すための金額入力打診情報を端末１０２に送信する。すると、端末１０２の操作画面１０７上には、図９に示す金額指定画面が表示される。したがって、本実施形態では、ステップＳ２０５が金額入力打診ステップに相当し、その際にはサーバ１０１の制御装置１０４が金額入力打診手段として機能する。
【００３８】
そして、顧客が、図９に示す金額指定画面から所望する希望引出し金額をタッチ操作により入力すると、該希望引出し金額に係る希望引出し金額情報が、端末１０２側からサーバ１０１側に送信される。すると、サーバ１０１の制御装置１０４は、ステップＳ２０６での判定結果が肯定判定となるため、その希望引出し金額情報を制御装置１０４のＲＡＭに一時記憶させた後、次のステップＳ２０７に処理を移行する。ステップＳ２０７において、サーバ１０１の制御装置１０４は、受信した希望引出し金額情報にて示される希望引出し金額が現状の引出し限度額２０３以下であるか否かを判定し、該判定結果が否定判定（希望引出し金額＞現状の引出し限度額２０３）である場合、ステップＳ２０８に処理を移行する。
【００３９】
そして、このステップＳ２０８において、サーバ１０１の制御装置１０４は、引出し限度額を超える誤った金額が希望引出し金額として入力されたものと判断し、その旨を引出しエラー情報として端末１０２側に送信する。すると、端末１０２の操作画面１０７上には、誤った金額が希望引出し金額として入力されたことに起因して、現金の払出しができない旨のメッセージが表示される。その後、サーバ１０１の制御装置１０４は、預金引出し処理ルーチンを終了する。
【００４０】
一方、受信した希望引出し金額情報にて示される希望引出し金額が現状の引出し限度額２０３以下であった場合、サーバ１０１の制御装置１０４は、ステップＳ２０７の判定結果が肯定判定となるため、ステップＳ２０９に処理を移行する。ステップＳ２０９において、サーバ１０１の制御装置１０４は、希望引出し金額分の現金を端末１０２から払い出すことを許可するための払出し許可情報を端末１０２に送信する。したがって、本実施形態では、ステップＳ２０９が払出し許可ステップに相当し、その際にはサーバ１０１の制御装置１０４が払出し許可手段として機能する。そして、端末１０２からは、顧客の希望引出し金額分の現金が払い出され、その後、サーバ１０１の制御装置１０４は、預金引出し処理ルーチンを終了する。
【００４１】
また、本実施形態においては、上述した残高照会処理ルーチンや預金引出し処理ルーチンが実行されていない間、サーバ１０１側では図５に示す引出し限度額引下げ処理ルーチンが実行される。すなわち、この引出し限度額引下げ処理ルーチンにおいて、サーバ１０１の制御装置１０４は、各種の取引関連情報（図２参照）を預金口座管理ファイル１０６から読み出してＲＡＭに一時記憶させる。そして、サーバ１０１の制御装置１０４は、ステップＳ３０１において、現状の引出し限度額２０３が高額の第２の引出し限度額２０７に設定されているか否かを判定する。現状の引出し限度額２０３が低額の第１の引出し限度額２０５に設定されている場合、サーバ１０１の制御装置１０４は、ステップＳ３０１の判定結果が否定判定になるため、引出し限度額引下げ処理ルーチンを終了する。
【００４２】
一方、現状の引出し限度額２０３が高額の第２の引出し限度額２０７に設定されている場合、サーバ１０１の制御装置１０４は、ステップＳ３０１の判定結果が肯定判定になるため、ステップＳ３０２に処理を移行する。ステップＳ３０２において、サーバ１０１の制御装置１０４は、引出し限度額２０３が第２の引出し限度額２０７に設定変更されてからの経過時間Ｔを読み出す。そして、ステップＳ３０３において、サーバ１０１の制御装置１０４は、ステップＳ３０２にて読み出した経過時間Ｔが予め設定された所定時間ＫＴ（例えば「５分」）以上であるか否かを判定する。経過時間Ｔが所定時間ＫＴを超えた場合、サーバ１０１の制御装置１０４は、ステップＳ３０３の判定結果が肯定判定になるため、後述するステップＳ３０５に処理を移行する。
【００４３】
一方、経過時間Ｔが所定時間ＫＴ未満である場合、サーバ１０１の制御装置１０４は、ステップＳ３０３の判定結果が否定判定になるため、ステップＳ３０４に処理を移行する。続いて、ステップＳ３０４において、サーバ１０１の制御装置１０４は、該制御装置１０４が端末１０２側に払出し許可情報を送信したか否かを判定する。すなわち、サーバ１０１の制御装置１０４は、端末１０２側において一つの預金口座からの預金引出しが既に実行されたか否かの判定を行う。制御装置１０４が払出し許可情報を送信していない場合、サーバ１０１の制御装置１０４は、ステップＳ３０４の判定結果が否定判定になるため、引出し限度額引下げ処理ルーチンを終了する。一方、制御装置１０４が払出し許可情報を送信している場合、サーバ１０１の制御装置１０４は、ステップＳ３０４の判定結果が肯定判定になるため、ステップＳ３０５に処理を移行する。
【００４４】
ステップＳ３０５において、サーバ１０１の制御装置１０４は、預金口座管理ファイル１０６内における現状の引出し限度額２０３を第１の引出し限度額２０５に書き換える。すなわち、上述したステップＳ１０４（引出し限度額変更ステップ）の実行により、第２の引出し限度額２０７（＞第１の引出し限度額２０５）に設定変更された現状の引出し限度額２０３が、ステップＳ１０４が実行される前の値（＝第１の引出し限度額２０５）に引き下げられる。したがって、本実施形態では、ステップＳ３０５が、経過後引出し限度額引下げステップ及び払出し後引出し限度額引下げステップに相当し、その際にはサーバ１０１の制御装置１０４が経過後引出し限度額引下げ手段及び払出し後引出し限度額引下げ手段としても機能する。そして、ステップＳ３０５が実行された後、サーバ１０１の制御装置１０４は、引出し限度額引下げ処理ルーチンを終了する。
【００４５】
次に、端末１０２から預金の引き出しを行う際の本実施形態に係るコンピュータシステム（金融管理システム）１００の作用について以下説明する。なお、前提として、顧客が、まず預金口座の残高照会を第２の暗証番号２０６を入力して行い、その後、第１の暗証番号２０４を入力して預金口座からの預金の引き落としを行うものとする。
【００４６】
さて、端末１０２の操作画面１０７上に図６に示す画面が表示されている場合に、顧客（例えば、図２に示す預金口座管理ファイル１０６における「大垣太郎」さん）が残高照会ボタン２５をタッチ操作すると、操作画面１０７上には、読み取り用挿入口内にキャッシュカード若しくは通帳の挿入を促す旨のメッセージが表示される。そして、顧客が、キャッシュカードを端末１０２の読み取り用挿入口内に挿入すると、端末１０２の操作画面１０７上には、図７に示す暗証番号入力用画面が表示される。
【００４７】
そして、顧客が、第２の暗証番号２０６（例えば、「５６７８」）をタッチ操作により入力すると、サーバ１０１の制御装置１０４は、端末１０２に挿入されたキャッシュカードに対応した暗証番号が入力されたと判断し、端末１０２の操作画面１０７上には、図８に示す残高照会用画面が表示される。すなわち、この残高照会用画面には、預金口座の預金残高（ご照会時の残高）と、端末一日支払限度額とが表示される。この端末一日支払限度額としては、預金口座管理ファイル１０６に記憶されている現状の引出し限度額２０３が表示されるのであるが、この場合、現状の引出し限度額２０３は、第２の暗証番号２０６の入力を伴った残高照会が行われたことにより、高額の第２の引出し限度額２０７に設定変更されている。したがって、この場合、預金口座の預金残高としては「２５０万円」が表示されると共に、一日支払限度額としては高額の預金引出しを許容する第２の引出し限度額２０７と同額の「２００万円」が表示される。
【００４８】
そして、顧客が、図８に示す残高照会用画面の下側に表示されているお引出しボタン３０をタッチ操作すると、端末１０２の操作画面１０７上には、図７に示す暗証番号入力用画面が表示される。なお、このときキャッシュカードは端末１０２の読み取り用挿入口内に挿入されたままに保持される。そして、その操作画面１０７上において、顧客が、第１の暗証番号２０４（例えば、「１２３４」）をタッチ操作により入力すると、サーバ１０１側では、挿入されたキャッシュカードに対応した暗証番号が入力されたと判断し、端末１０２の操作画面１０７上には、図９に示す金額指定画面が表示される。
【００４９】
すなわち、本実施形態では、第１の引出し限度額２０５（「２０万円」）を超える高額の引き出しを所望する場合には、残高照会ボタン２５の操作後に第２の暗証番号２０６を入力し、その後、お引出しボタン３０の操作後に第１の暗証番号２０４を入力する必要がある。そのため、上記のような高額の引出しを実行する場合には、実質的には「８」桁の暗証番号を入力するのと同じになる。したがって、従来のように「４」桁の暗証番号のみで高額の引出しが可能になるシステムとは異なり、高額引出し時の安全性が高められたことになる。
【００５０】
そして、顧客が、所望する希望引出し金額（例えば、「１００万円」）をタッチ操作により入力すると、サーバ１０１と端末１０２との間で各種の情報の送受信が行われる。この間、端末１０２の操作画面１０７上には、サーバ１０１と端末１０２との間で各種の情報の送受信が行われている旨のメッセージが所定時間（例えば１０秒程度）に亘り表示される。
【００５１】
その後、端末１０２の操作画面１０７上には、預金（「１００万円」）の引出し後の預金口座の残高（「１５０万円」）や、希望引出し金額（「１００万円」）等が表示され、ご利用明細書が発行されると共に、現金（「１００万円」）が払い出される。このように、預金口座から預金の払い出しが行われると、預金口座管理ファイル１０６内において、当該預金口座の引出し限度額２０３が低額の第１の引出し限度額２０５に変更（引下げ）される。そのため、もし仮に第１の暗証番号２０４がスキミングなどによって不正に読み出されてしまったとしても、２０万円を超える高額の被害に遭うことはない。また、第２の暗証番号２０６が不正に読み出されてしまったとしても、該第２の暗証番号２０６では預金口座からの預金の引出しが不能であるため、不正な預金引出しによる被害が発生することはない。
【００５２】
したがって、本実施形態では、以下に示す効果を得ることができる。
（１）端末１０２側からの第２の暗証番号（変更用暗証番号）２０６に係る第２の暗証番号情報をサーバ１０１の制御装置１０４が受信した場合、該制御装置１０４は、受信した暗証番号情報に対応する預金口座における現状の引出し限度額２０３を、低額の第１の引出し限度額２０５から高額の第２の引出し限度額２０７に引き上げる。その後、端末１０２側からの第１の暗証番号２０４に係る第１の暗証番号情報をサーバ１０１の制御装置１０４が受信した場合、該制御装置１０４は、現状の引出し限度額２０３（＝第２の引出し限度額２０７）以下での希望引出し金額の払出しを許可するための払出し許可情報を端末１０２側に送信する。すると、端末１０２において、顧客の希望引出し金額が払出しされる。そのため、もし仮に第２の暗証番号２０６がスキミング等により不正に読み出されてしまったとしても、該第２の暗証番号２０６は現状の引出し限度額２０３を引き上げるための暗証番号であるため、第２の暗証番号２０６を使用した預金口座からの不正な預金引き出しを防止できる。しかも、本実施形態は、生体認証や携帯電話の機能を利用したシステムではなく従来のシステムの応用であるため、その利便性の低下を抑制できる。したがって、金融取引での利便性の低下を抑制しつつ、キャッシュカードの盗難・偽造に基づいた預金口座からの不正な預金引出しを抑制することができる。
【００５３】
（２）もし仮に現状の引出し限度額２０３を高額の第２の引出し限度額２０７に引き上げた状態が所定時間ＫＴ以上の長時間継続された場合、現状の引出し限度額２０３を超えない範囲内での預金引出しに使用される第１の暗証番号２０４の不正使用によって不正な預金引き出しによる被害金額が高くなってしまうおそれがある。しかし、本実施形態では、端末１０２側からの第２の暗証番号２０６に係る第２の暗証番号情報をサーバ１０１の制御装置１０４が受信してからの経過時間Ｔが所定時間ＫＴ以上になった場合には、高額の第２の引出し限度額２０７に設定変更されていた現状の引出し限度額２０３が、低額の第１の引出し限度額２０５に引き下げられる。そのため、この点でも不正な預金引き出しによる被害金額を抑制できる。
【００５４】
（３）端末１０２側からの第２の暗証番号２０６に係る第２の暗証番号情報をサーバ１０１の制御装置１０４が受信した後に、該制御装置１０４が第１の暗証番号２０４に係る第１の暗証番号情報及び希望引出し金額情報を受信した場合、制御装置１０４は、端末１０２に対して払出し許可情報を送信する。また、制御装置１０４は、引出し限度額変更ステップＳ１０４によって高額の第２の引出し限度額２０７に設定変更されていた現状の引出し限度額２０３を、低額の第１の引出し限度額２０５に引き下げる。そのため、顧客が預金口座から預金を引き出した後も、現状の引出し限度額２０３が高額の第２の引出し限度額２０７に設定された状態が継続される場合とは異なり、その後の不正な預金引き出しによる被害金額を抑制できる。
【００５５】
（４）もし仮に、引出し限度額変更用操作部（本実施形態の場合、残高照会ボタン２５）を設けずに、お引出しボタン（引出し用操作部）２３の操作に続けて引出し限度額変更ステップのために第２の暗証番号２０６を入力させると共に、払出し許可ステップのために第１の暗証番号２０４を入力させるようにしたとする。すると、この場合、サーバ１０１の制御装置１０４は、端末１０２でのお引出しボタン２３の操作後に受信した暗証番号情報が第２の暗証番号情報であるのか第１の暗証番号情報であるのかを判定する処理を行う必要があり、その制御処理の負荷が増大してしまうおそれがある。しかし、本実施形態では、端末１０２にて残高照会ボタン２５が操作された後においてサーバ１０１の制御装置１０４が第２の暗証番号２０６に係る第２の暗証番号情報を受信した場合に、制御装置１０４は、引出し限度額変更ステップを実行するようにした。一方、端末１０２にてお引出しボタン２３が操作された後において、サーバ１０１の制御装置１０４が第２の暗証番号２０６に係る第２の暗証番号情報を受信した場合には、制御装置１０４が、第１の暗証番号２０４とは異なる誤った暗証番号が入力されたものと判断するようにした。したがって、サーバ１０１の制御装置１０４における制御処理の増大を抑制できる。
【００５６】
（５）一般に、ＡＴＭなどの端末１０２には、お引出しボタン（引出し用操作部）２３及び残高照会ボタン（残高照会用操作部）２５は必ず設けられ、該残高照会ボタン２５が引出し限度額変更用操作部としても機能する。そのため、引出し限度額変更用操作部をお引出しボタン２３及び残高照会ボタン２５とは別に新たに端末１０２に設ける必要がないため、端末１０２に新たなボタン（操作部）を設けることによるコストの増加を抑制できる。
【００５７】
（６）本実施形態では、第１の引出し限度額２０５よりも高額の引き出しを行う場合には、第１の暗証番号２０４だけではなく、第２の暗証番号２０６も使用する必要がある。そのため、実質的には「８」桁の暗証番号を使用する場合と、暗証番号の組み合わせが同じくらいになるため、第三者に各暗証番号２０４，２０６が推察されにくくなる。したがって、もし仮にキャッシュカードなどが盗難されたとしても、暗証番号が不正に読み出されてない場合には、預金口座からの不正な預金引出しが行われる可能性を低くすることができる。
【００５８】
なお、実施形態は以下のような別の実施形態（別例）に変更してもよい。
・実施形態において、図６に示す画面に、残高照会ボタン２５とは別に引出し限度額変更用操作部として引出し限度額変更ボタンを設けるようにしてもよい。
【００５９】
・実施形態において、図６に示すお引出しボタン２３を引出し限度額変更用操作部としても兼用し、該ボタン２３をタッチ操作した後において第２の暗証番号２０６を入力した場合に、現状の引出し限度額２０３を、低額の第１の引出し限度額２０５から高額の第２の引出し限度額２０７に引き上げるようにしてもよい。この場合、第２の暗証番号２０６を入力した後、端末１０２の操作画面１０７上には、図７に示す暗証番号用画面が再び表示されることになる。そして、その操作画面１０７上において顧客が第１の暗証番号２０４を入力した後に、現状の引出し限度額２０３を超えない範囲内の希望引出し金額を入力すると、該希望引出し金額に基づく現金が端末１０２から払い出される。
【００６０】
・実施形態において、現状の引出し限度額２０３が高額の第２の引出し限度額２０７に設定変更された状態で、預金口座からの預金の引出しが実行されても、上記経過時間Ｔが所定時間ＫＴ未満であった場合には、現状の引出し限度額２０３が第２の引出し限度額２０７に設定された状態を維持するようにしてもよい。
【００６１】
・実施形態において、現状の引出し限度額２０３が高額の第２の引出し限度額２０７に設定変更された場合、上記経過時間Ｔに寄らず、預金口座からの現金の引出しが行われた場合にのみ、現状の引出し限度額２０３を低額の第１の引出し限度額２０５に引下げ変更するようにしてもよい。
【００６２】
・実施形態において、サーバ１０１に接続されている複数の端末１０２のうち、一つの端末１０２にて残高照会ボタン２５の操作後に第２の暗証番号２０６を入力して引出し限度額変更ステップを実行させた後に、他の端末１０２にて第１の暗証番号２０４の入力に基づき高額の預金引出しを実行させるようにしてもよい。
【００６３】
・実施形態において、一つの預金口座に対して第２の暗証番号は３つ以上設定されていてもよい。例えば、一つの預金口座に対して１つの第１の暗証番号と２つの第２の暗証番号が設定された場合、第１の暗証番号２０４は、預金引出し用の暗証番号として機能する。その一方、２つある第２の暗証番号２０６は、現状の引出し限度額２０３を各第２の暗証番号２０６と個別対応するように設定された各第２の引出し限度額２０７に変更するための暗証番号として機能する。
【００６４】
・実施形態において、第２の暗証番号２０６は、第１の暗証番号２０４と異なるものであれば、該第１の暗証番号２０４（例えば、「１２３４」）とは桁数の異なる番号（例えば「１２３」）であってもよい。
【００６５】
・また、各暗証番号２０４，２０６は、数字の組み合わせではなく、アルファベットやカタカナなどの組み合わせからなるものであってもよい。
・実施形態において、第２の引出し限度額２０７は、第１の引出し限度額２０５よりも高額であればよく、その預金口座の預金残高に相当する預金金額２０８であってもよい。すなわち、預金金額２０８が「２５０万円」である場合には、第２の引出し限度額２０７は、「２５０万円」としてもよい。
【００６６】
・上記実施形態では、顧客により操作される端末１０２が現金自動預払機（ＡＴＭ）である場合を例示したが、現金自動支払機（ＣＤ）に具体化してもよい。
【図面の簡単な説明】
【００６７】
【図１】本実施形態のコンピュータシステムの概略構成図。
【図２】預金口座管理ファイルの構成図。
【図３】残高照会処理ルーチンを示すフローチャート。
【図４】預金引出し処理ルーチンを示すフローチャート。
【図５】引出し限度額引下げ処理ルーチンを示すフローチャート。
【図６】端末側の操作画面の表示内容説明図。
【図７】端末側の操作画面の表示内容説明図。
【図８】端末側の操作画面の表示内容説明図。
【図９】端末側の操作画面の表示内容説明図。
【符号の説明】
【００６８】
２３，３０…お引出しボタン（引出し用操作部）、２５…残高照会ボタン（引出し限度額変更用操作部、残高照会用操作部）、１００…コンピュータシステム、１０１…サーバ、１０２…端末、１０４…制御装置（引出し限度額変更手段、金額入力打診手段、払出し許可手段、経過後引出し限度額引下げ手段、払出し後引出し限度額引下げ手段）、１０６…預金口座管理ファイル（記憶手段）、２０３…現状の引出し限度額、２０４…第１の暗証番号、２０５…第１の引出し限度額、２０６…第２の暗証番号、２０７…第２の引出し限度額、ＫＴ…所定時間、Ｔ…経過時間。
【図１】
2008015597.tif 000003
【図２】
2008015597.tif 000004
【図３】
2008015597.tif 000005
【図４】
2008015597.tif 000006
【図５】
2008015597.tif 000007
【図６】
2008015597.tif 000008
【図７】
2008015597.tif 000009
【図８】
2008015597.tif 000010
【図９】
2008015597.tif 000011